(57)【要約】【課題】本発明は、スペアディスプレイ部を有するスライドオープン式デュアルディスプレイ携帯電話を提供する。【解決手段】本発明に係るスライドオープン式デュアルディスプレイ携帯電話は、メインディスプレイ部と、サブディスプレイ部と、メインディスプレイ部とサブディスプレイ部との間にスライド可能に装着されるキーパッドと、を備える。【選択図】図５
2011234353.tif 000002
【特許請求の範囲】
【請求項１】
メインディスプレイ部と、
サブディスプレイ部と、
前記メインディスプレイ部と前記サブディスプレイ部との間にスライド可能に装着されるキーパッドと、
を備えることを特徴とするスライドオープン式デュアルディスプレイ携帯電話。
【請求項２】
前記メインディスプレイ部は、前記キーパッドの正面にスライド可能に装着され、前記サブディスプレイ部は、前記キーパッドの背面にスライド可能に装着されることを特徴とする請求項１に記載のスライドオープン式デュアルディスプレイ携帯電話。
【請求項３】
前記キーパッドは、初期位置に位置する時に前記メインディスプレイ部に覆われるが、前記メインディスプレイ部と前記サブディスプレイ部との間から第一方向に沿ってスライドさせると、前記キーパッドに設けられた数字ボタン及び機能ボタンは全て前記メインディスプレイ部の下側に位置することを特徴とする請求項１に記載のスライドオープン式デュアルディスプレイ携帯電話。
【請求項４】
前記サブディスプレイ部は、初期位置に位置する時に前記キーパッドに覆われるが、前記第一方向に直交する第二方向に沿ってスライドさせると、前記メインディスプレイ部の片側に露出することを特徴とする請求項３に記載のスライドオープン式デュアルディスプレイ携帯電話。
【請求項５】
前記メインディスプレイ部と前記サブディスプレイ部との長さが同じであることを特徴とする請求項４に記載のスライドオープン式デュアルディスプレイ携帯電話。
【請求項６】
前記メインディスプレイ部と前記サブディスプレイ部とが共同してさらに大きいディスプレイ部を形成することを特徴とする請求項５に記載のスライドオープン式デュアルディスプレイ携帯電話。
【発明の詳細な説明】
【技術分野】
【０００１】
本発明は、ディスプレイ部を２つ搭載したスライドオープン式携帯電話に関するものである。
【背景技術】
【０００２】
スライドオープン式携帯電話は、立派な外観を有するので流行り、人々の愛顧を受ける。スライドオープン式携帯電話で電話をかける場合、ディスプレイ部を備えた蓋体を操作部が備えられた本体に対してスライドさせると、操作部が露出するので、ユーザーはボタンを押して電話をかけることができる。このようなスライドオープン式携帯電話は、操作が便利であるが、ディスプレイ部が外部に露出しているので摩損し易く、且つ損傷したディスプレイ部を取り替えることが面倒であるから、ディスプレイ部が損傷したら、ユーザーは直接、携帯電話を取り替える。
【発明の概要】
【発明が解決しようとする課題】
【０００３】
本発明の目的は、前記課題を解決し、スペアディスプレイ部を有するスライドオープン式デュアルディスプレイ携帯電話を提供することである。
【課題を解決するための手段】
【０００４】
前記目的を達成するため、本発明に係るスライドオープン式デュアルディスプレイ携帯電話は、メインディスプレイ部と、サブディスプレイ部と、前記メインディスプレイ部と前記サブディスプレイ部との間にスライド可能に装着されるキーパッドと、を備える。
【発明の効果】
【０００５】
本発明に係るスライドオープン式デュアルディスプレイ携帯電話において、ディスプレイ部を２つ搭載したので、ユーザーは需要によって１つ又は２つのディスプレイ部を使うことができ、その中の１つのディスプレイ部が損傷したら、他のディスプレイ部をスペアディスプレイ部として続けて使うことができる。
【図面の簡単な説明】
【０００６】
【図１】本発明の実施形態に係るスライドオープン式デュアルディスプレイ携帯電話が閉じられた状態での正面図である。
【図２】図１に示すスライドオープン式デュアルディスプレイ携帯電話の左側面図又は右側面図である。
【図３】本発明の実施形態に係るスライドオープン式デュアルディスプレイ携帯電話のキーパッドがメインディスプレイ部に対して縦方向にスライドする状態を示す図である。
【図４】図３に示すスライドオープン式デュアルディスプレイ携帯電話の左側面図又は右側面図である。
【図５】本発明の実施形態に係るスライドオープン式デュアルディスプレイ携帯電話のサブディスプレイ部がキーパッドに対して横方向にスライドする状態を示す図である。
【図６】図５に示すスライドオープン式デュアルディスプレイ携帯電話の平面図又は底面図である。
【発明を実施するための形態】
【０００７】
図１及び図２を参照すると、本発明の実施形態に係るスライドオープン式デュアルディスプレイ携帯電話は、メインディスプレイ部１０、キーパッド２０及びサブディスプレイ部３０を備える。前記キーパッド２０は、前記メインディスプレイ部１０と前記サブディスプレイ部３０との間にスライド可能に装着される。前記スライドオープン式デュアルディスプレイ携帯電話が閉じられている場合、前記メインディスプレイ部１０は、ただ時間、期日などの基本情報を表示し、且つ前記キーパッド２０全体を覆い、前記キーパッド２０は、前記サブディスプレイ部３０全体を覆い、前記サブディスプレイ部３０は未使用状態になる。
【０００８】
図３及び図４を参照すると、前記キーパッド２０は、前記メインディスプレイ部１０と前記サブディスプレイ部３０との間から下に向かって縦方向にスライドして、数字ボタンエリア２２及び機能ボタンエリア２４を露出し、且つ全てのボタンを前記メインディスプレイ部１０の下方に位置させる。前記数字ボタンエリア２２に１２個のボタン（０〜９の１０個の数字ボタン、＊ボタン、＃ボタン）が設けられ、前記機能ボタンエリア２４に５個の機能ボタンが設けられる。ユーザーは、これらのボタンを操作して、携帯電話のいろいろな機能を使用し、例えば、電話をかけるか、又はメッセージを編集する。
【０００９】
前記メインディスプレイ部１０と前記サブディスプレイ部３０との間から前記キーパッド２０を下に向かって縦方向にスライドさせるために、前記メインディスプレイ部１０と前記キーパッド２０との間及び前記キーパッド２０と前記サブディスプレイ部３０との間には、縦方向スライド機構（例えば、互いに係合するガイドレール及びガイドスロット、又は他の現有のスライドオープン式携帯電話が使用するスライド機構）が設けられる。前記キーパッド２０を下に向かって縦方向にスライドさせると、前記数字ボタンエリア２２及び前記機能ボタンエリア２４以外の他の部分は、依然として前記メインディスプレイ部１０に覆われ（図４を参照）、前記縦方向スライド機構は、前記キーパッド２０の前記メインディスプレイ部１０に覆われる部分に設けられる。
【００１０】
図５及び図６を参照すると、前記サブディスプレイ部３０は、前記キーパッド２０に対して右に向かって横方向にスライドすることができる。前記サブディスプレイ部３０の長さは、前記メインディスプレイ部１０の長さと同じであるので、前記サブディスプレイ部３０を右に向かってスライドさせると、前記サブディスプレイ部３０の頂辺と前記メインディスプレイ部１０の頂辺とは同一直線上に位置し、前記サブディスプレイ部３０の底辺と前記メインディスプレイ部１０の底辺とは同一直線上に位置し、前記サブディスプレイ部３０は前記メインディスプレイ部１０とともにさらに大きいディスプレイ部を形成する。前記メインディスプレイ部１０が損傷したら、前記サブディスプレイ部３０はスペアディスプレイ部として続けて使用することができる。
【００１１】
前記サブディスプレイ部３０を前記キーパッド２０に対して右に向かって横方向にスライドさせるために、前記キーパッド２０と前記サブディスプレイ部３０との間には、横方向スライド機構（例えば、互いに係合するガイドレール及びガイドスロット、又は他の現有のスライドオープン式携帯電話が使用するスライド機構）が設けられる。前記サブディスプレイ部３０を前記キーパッド２０に対して右に向かって横方向にスライドさせると、前記サブディスプレイ部３０の表示画面以外の他の部分は、依然として前記キーパッド２０に覆われ（図６を参照）、前記横方向スライド機構は、前記サブディスプレイ部３０の前記キーパッド２０に覆われる部分に設けられる。
【００１２】
本発明の実施形態において、前記スライドオープン式デュアルディスプレイ携帯電話は、３層構造であり、前記キーパッド２０は下に向かって縦方向にスライドすることができ、前記サブディスプレイ部３０は右に向かって横方向にスライドすることができ、数字ボタン及び機能ボタンは全て前記キーパッド２０に設けられるので、前記メインディスプレイ部１０の表示画面の面積が大きくなる。前記メインディスプレイ部１０が損傷した場合、前記サブディスプレイ部３０はスペアディスプレイ部として続けて使用することができ、前記メインディスプレイ部１０が損傷されない場合、前記サブディスプレイ部３０は前記メインディスプレイ部１０とともにさらに大きいディスプレイ部を形成して、さらによい視覚効果を提供する。
【００１３】
以上本発明を実施例に基づいて具体的に説明したが、本発明は上述の実施例に限定されるものではなく、その要旨から逸脱しない範囲において、種々変更可能であることは勿論であって、本発明の保護範囲は、以下の特許請求の範囲によって規定される。
【符号の説明】
【００１４】
１０  メインディスプレイ部
２０  キーパッド
２２  数字ボタンエリア
２４  機能ボタンエリア
３０  サブディスプレイ部
【図１】
2011234353.tif 000003
【図２】
2011234353.tif 000004
【図３】
2011234353.tif 000005
【図４】
2011234353.tif 000006
【図５】
2011234353.tif 000007
【図６】
2011234353.tif 000008